(57)【特許請求の範囲】
【請求項１】
有底の角形筒体状で、正面部（１１）及び背面部（１２）の上端に、持ち手（２０、２０）がそれぞれつけられている袋体（１０）を基本構造とする買物袋（１）において、
縦を袋体（１０）の側面部（１３）の縦より短く、横幅は側面部（１３）の横幅より長くし、長い辺を半分に折った中心線上を、上方から下方に向かい、途中の印（Ｐ）、更に、下部底辺の印（Ｑ、Ｑ）に向かい、逆Ｙ字形になるように内側に折り畳んで出来る輪（５５）に端縫い（５６）を施した素材の側辺（５７）を、上部が開口するように、袋体（１０）内側のそれぞれの側面部（１３）の間に縫合して設け、中仕切り（５０）の側辺（５７）寄りの上部開口部（５１）の一部である上部開口縫合部（５２）及び中仕切り（５０）の底部の一部である底辺部分（５３）を袋体（１０）の正面部（１１）及び背面部（１２）と縫合し、中仕切り（５０）の安定を保ち、中仕切り（５０）の前記底辺部分（５３）以外の残りの底辺部分（５４）は縫合せず、収納する品物の形状に合わせて変形自在となり、その底辺部分（５４）が中仕切り（５０）の内側に平らに折り畳み可能で、尚且つ、袋体１０を畳む時に、底面部（１４）の障害になることもなく、また、逆Ｙ字形に沿って端縫い（５６）が施されていることにより、簡単に折り畳むことが可能な中仕切り（５０）を備えることで、縦方向の分離収納スペース（５８）も確保できるようにしたことを特徴とする買物袋。
【請求項２】
袋体（１０）の正面部（１１）及び背面部（１２）より縦を短く、横の最大の長さは、中仕切り（５０）の上部開口部（５１）と袋体（１０）の縫い止りである上部開口縫合部（５２）までとして、上部を開口とする内袋体（６０）の開口部（６４）に面ファスナー、スナップ、ホック、磁石あるいはチャックのいずれか一つからなる着脱自在の係止部材を取り付け、袋体（１０）の正面部（１１）及び背面部（１２）のそれぞれの内側面の上部に、前記内袋体（６０）の上部を固定して設け、
それぞれの内袋体（６０）の前面部（６１）及び後面部（６２）の下方端辺寄りに面ファスナー、スナップ、ホック、磁石あるいはチャックのいずれか一つからなる着脱自在に係合可能な係止部材（６６、６６）を設け、
更に、それぞれの内袋体（６０）の後面部（６２）の上部表面に、下方端辺寄りの前記係止部材（６６、６６）に着脱自在に係合可能な係止部材（６７）を設け、
そのうえ更に、それぞれの内袋体（６０）の後面部（６２）の上部裏面に、下方端辺寄りの前記係止部材（６６、６６）に着脱自在に係合可能な係止部材（６８）を設け、
前記各係止部材同士を係合させることにより、内袋体（４０）が様々な形態で使用可能となり、
片方の内袋体（６０）の前面部（６１）の下方端辺寄りの係止部材（６６）と対向する内袋体（６０）の後面部（６２）の上部裏面の係止部材（６８）を係合し、その上で、もう片方の内袋体（６０）の後面部（６２）の下方端辺寄りの係止部材（６６）と対向する内袋体（６０）の後面部（６２）の上部表面の係止部材（６７）と係合させることにより、２つの内袋体を同時に棚状中仕切りとして使用するのに一番適した係合状態となり、
また、片方の内袋体（６０）の前面部（６１）の下方端辺寄りの係止部材（６６）と対向する内袋体（６０）の後面部（６２）の上部裏面の係止部材（６８）を係合し、その上で、もう片方の内袋体（６０）の前面部（６１）の下方端辺寄りの係止部材（６６）と対向する内袋体（６０）の後面部（６２）の上部表面の係止部材（６７）を係合させることにより、２つの内袋体を同時に棚状中仕切りとカバーとして使用するのに一番適した係合状態となるが、買物の際に、使用者自身が都合に合わせて適宜選択でき、収納する品物の形状に合わせて柔軟性のある棚状中仕切りとカバーとして使用可能な内袋体（６０）を備えることで、袋体（１０）の中を上側収納部と下側収納部に区分けして、横方向に収納可能なスペースが確保できるようにしたことを特徴とする請求項１に記載の買物袋。
【発明の詳細な説明】
【技術分野】
【０００１】
本発明は、主に各商店が買物客に、無料で提供している紙やポリエチレン製の袋に代わるもので、買物に行く時に各自が持参し、購入品を収納する買物袋に関する。
【背景技術】
【０００２】
従来、各商店は紙やビニール製の袋を無料で提供し、買物客の便宜を図っており、最近では特にポリエチレン製の袋等（以下、レジ袋と表示）が主流となっている。
【０００３】
それ故に、買物客は近隣で日常生活必需品を購入する時でさえ、自前の買物袋を持参せず、無料のレジ袋等に購入品を収納して、自宅に持ち帰っている人々が大多数である。
【０００４】
そして、持ち帰った紙袋やレジ袋の殆どは、ごみとして廃棄されているのが現状である。しかし、昨今の地球温暖化、又、限り有る資源を考慮すると、可能な限り再生利用、再使用の必要性に迫られている。企業も行政指導の下、レジ袋の削減を開始するとともに、近い将来、レジ袋全面有料化をめざしている。
【０００５】
そこで、最近ではスーパーマーケットやデパート等も、買物をする時に自前の袋や手さげカゴの持参を提唱すると同時に、エコバッグ、マイバッグと称して袋を販売するところが増えている。然しながら、殆どの買物袋は
（１）実質的な機能より見た目やデザインを重視するあまり、使い勝手の配慮に欠け重く、食品を直接収納するにもかかわらず、汚れても丸洗いが難しい中途半端な物が多い。
（２）袋の中に隙間なく収納したつもりでも、運搬を開始すると中の物が揺れて移動したり、倒れたりして持ちにくい。
（３）長尺物、硬い物、軟らかい物、重い物と、軽いもの、又、冷たい物、熱い物等、特性により適宜に区分けして収納することが難しく、時として袋の中身が丸見えで気になる。
（４）袋の小型化に関しては、小型化した袋に品物を収納して使用するというよりも、想定外の使用に備えて携行するという発想で殆どの製品が提供されている。そのため、大多数の人が近隣に買物に行く時でさえ、小型化した買物袋とは別に財布やメモ、又、携帯電話等を収納するバッグを余計に持参しなければならず合理的でない。
（５）手に提げて運搬するため両手が自由にならず、悪天候では傘の開閉、及び、咄嗟の事態が発生しても対応が困難である。
上記のように機能性について、工夫も、改良もあまりなく、ただ単に物を詰め込む空間があるだけの袋が主流の中、特に、徒歩で買物に行かなければならない人々にとっては利便性、収納性、運搬性の面で不便を感じているのが実状である。
【０００６】
それを受け、前記従来の紙袋やレジ袋に代わるものとして、
（１）買物袋の一内側面に、横断面形状と同形で、且つ若干小さく形成された板状の仕切り板の一基端辺が取り付けられ、当該仕切り板は、前記基端辺を基軸として上下方向に回動自在であり、前記仕切り板の水平配置状態で、その仕切り板の下側に下方収納スペースと、仕切り板の上側に上方収納スペースが形成自在に構成され、
（２）更に、板状の仕切り板は２分割された小板体の組み合わせで成り、前記小板体同士の接続部で折曲可能であると共に、袋体を形成する底の内側面上に前記仕切り板と略同形・同大の当て底板が設置され、その当て底板も２分割された小板体の組み合わせで成り前記小板体同士の接続部で折曲可能であり、買物袋の不使用時には隣り合う仕切り板を折り曲げコンパクト化が可能であり、
（３）その上、仕切り板の一基端辺と反対側の回動辺寄りの表裏面及び、袋体の内側面の上部にそれぞれ面ファスナーが設けられており、所望の前記面ファスナー同士が着脱自在に構成されていることを特徴としたポリエステル製の買物袋が記載されている。（例えば特許文献１参照）
【特許文献１】実用新案登録第３１３１４４６号公報
【発明の開示】
【発明が解決しようとする課題】
【０００７】
前記特許文献１に開示された袋は、上下方向に回動自在の板状の仕切りを設け、同一の袋内で商品の種類に応じ区分けして運搬可能で、仕切り板が不要の時は邪魔にならず、使用する時には楽に使用でき、又、買物袋を不使用の時はコンパクト化できる利便性を有している。
【０００８】
しかし、上、下収納スペースを構成する仕切り板が回動自在になっているとはいえ、板状であることと、仕切り板を水平状態で停止させる係止部材が備わってないために、仕切り板を水平状態に保持するには、仕切り板の一基端辺が袋に取り付けられている高さと同等になるまで、下方収納スペースに品物を収納しなければならず、そのようにしないと上方収納スペースと下方収納スペースを構成する仕切り板もその用途を充分に果たせず、又、下方収納スペースに収納した品物で板状の仕切りを支えるため、品物に凹凸が有る場合は仕切り板を水平状態に保持するのは困難で、仕切り板は傾斜した状態となり、上方収納スペースに収納したケーキや刺身の盛り合わせの様なものは、運搬中に容器の中で偏ってしまうという欠点が予想される。
【０００９】
更に、長尺物の葱等を収納する際は、必然的に仕切りを傾斜させていて、その傾斜している仕切り板を保持しているのは長尺物の葱等であるため、例えば、上方収納スペースに鮮魚等を収納した場合には、その重量で長尺物の葱等を傷つけてしまう欠点が有る。
【００１０】
又、２分割された小板体の組み合わせで成り立っている仕切り板は、小板体同士の接続部で折り曲げ可能で、仕切り板を半分に折り畳み、小型化し想定外の使用に備え、携行可能で便利だが、小型化した袋にメモ、財布、携帯電話等を収納することは不可能で、別の袋に収納して買物に出掛けなければならないという欠点がある。
【００１１】
本発明は以上のような従来の欠点に鑑み、買物袋としての利便性、収納性、運搬性の向上を図り、従来の紙袋やビニール袋に取って代わり、１つの袋で必要条件を満たし、ごみの減少にも寄与することが確実な、地球環境に優しい買物袋を提供することを目的として
いる。更に、具体的には、
（１）買物袋の中の縦方向に、形状自在になる仕切りを設け、収納品が振動で動いたり、長尺物が倒れたりしないようにする。
（２）買物袋の中を広く使いたい時に、縦方向の仕切りが妨げにならないようにする。
（３）買物袋を使用後、又は、洗濯後、簡単に畳んで保管できるようにする。
（４）買物袋の中の横方向に、柔軟性のある仕切りを設け、収納品の種類、特性により区分け収納ができるようにする。
（５）買物袋の中の横方向の仕切りを、必要に応じて品物の上に掛け、中身を部分的に覆うカバーとしても使用できるようにする。
（６）買物袋の中に設けた横方向の仕切りとカバーを同時に使用できるようにする。
（７）買物袋の中に設ける縦方向と横方向の仕切りを同時に使用できるようにする。
【課題を解決するための手段】
【００１２】
上記の課題を解決するための手段として、請求項１に記載の発明は、有底の角形筒体状で、正面部１１及び背面部１２の上端に、持ち手２０、２０がそれぞれつけられている袋体１０を基本構造とする買物袋１において、
縦を袋体１０の側面部１３の縦より短く、横幅は側面部１３の横幅より長くし、長い辺を半分に折った中心線上を、上方から下方に向かい、途中の印Ｐ、更に、下部底辺の印Ｑ、Ｑに向かい、逆Ｙ字形になるように内側に折り畳んで出来る輪５５に端縫い５６を施した素材の側辺５７を、上部が開口するように、袋体１０内側のそれぞれの側面部１３の間に縫合して設け、中仕切り５０の側辺５７寄りの上部開口部５１の一部である上部開口縫合部５２及び中仕切り５０の底部の一部である底辺部分５３を袋体１０の正面部１１及び背面部１２と縫合し、中仕切り５０の安定を保ち、中仕切り５０の前記底辺部分５３以外の残りの底辺部分５４は縫合せず、収納する品物の形状に合わせて変形自在となり、その底辺部分５４が中仕切り５０の内側に平らに折り畳み可能で、尚且つ、袋体１０を畳む時に、底面部１４の障害になることもなく、また、逆Ｙ字形に沿って端縫い５６が施されていることにより、簡単に折り畳むことが可能な中仕切り５０を備えることで、縦方向の分離収納スペース５８も確保できるようにしたことを特徴とする買物袋。
【００１３】
請求項２に記載の発明に係る買い物袋は、
袋体１０の正面部１１及び背面部１２より縦を短く、横の最大の長さは、中仕切り５０の上部開口部５１と袋体１０の縫い止りである上部開口縫合部５２までとして、上部を開口とする内袋体６０の開口部６４に面ファスナー、スナップ、ホック、磁石あるいはチャックのいずれか一つからなる着脱自在の係止部材を取り付け、袋体１０の正面部１１及び背面部１２のそれぞれの内側面の上部に、前記内袋体６０の上部を固定して設け、
それぞれの内袋体６０の前面部６１及び後面部６２の下方端辺寄りに面ファスナー、スナップ、ホック、磁石あるいはチャックのいずれか一つからなる着脱自在に係合可能な係止部材６６、６６を設け、
更に、それぞれの内袋体６０の後面部６２の上部表面に、下方端辺寄りの前記係止部材６６、６６に着脱自在に係合可能な係止部材６７を設け、
そのうえ更に、それぞれの内袋体６０の後面部６２の上部裏面に、下方端辺寄りの前記係止部材６６、６６に着脱自在に係合可能な係止部材６８を設け、
前記各係止部材同士を係合させることにより、内袋体４０が様々な形態で使用可能となり、
片方の内袋体６０の前面部６１の下方端辺寄りの係止部材６６と対向する内袋体６０の後面部６２の上部裏面の係止部材６８を係合し、その上で、もう片方の内袋体６０の後面部６２の下方端辺寄りの係止部材６６と対向する内袋体６０の後面部６２の上部表面の係止部材６７と係合させることにより、２つの内袋体を同時に棚状中仕切りとして使用するのに一番適した係合状態となり、
また、片方の内袋体６０の前面部６１の下方端辺寄りの係止部材６６と対向する内袋体６０の後面部６２の上部裏面の係止部材６８を係合し、その上で、もう片方の内袋体６０の前面部６１の下方端辺寄りの係止部材６６と対向する内袋体６０の後面部６２の上部表面の係止部材６７を係合させることにより、２つの内袋体を同時に棚状中仕切りとカバーとして使用するのに一番適した係合状態となるが、買物の際に、使用者自身が都合に合わせて適宜選択でき、収納する品物の形状に合わせて柔軟性のある棚状中仕切りとカバーとして使用可能な内袋体６０を備えることで、袋体１０の中を上側収納部と下側収納部に区分けして、横方向に収納可能なスペースが確保できるようにしたことを特徴とする請求項１に記載の買物袋。
【発明の効果】
【００１４】
請求項１記載の発明に係る買物袋は、
袋体の内側側面の分離収納スペースに、長尺物の葱、大根、又、瓶物、ミルクパックや小さな箱入りの物等を積み重ねて収納可能で、従来、形状の違う購入品等が運搬中に振動で動いたり、倒れたりして持ちにくく、収納性が悪かった部分を改良し、楽に運搬することを可能にし、利便性、収納性、運搬性に優れている。
【００１５】
袋体と中仕切りの底辺部と開口部が部分的に縫合されているため、品物を収納しても安定感があり、又、縫合されていない部分が有ることで、様々な形状に充分に対応可能である。更に、予め折り畳まれている底辺を底面部方向に伸し広げると収納品が底辺の開口部から飛び出すことがなく収まり、その上、中仕切りが不要な時は側面部に寄せると、中仕切りがなく、又、側面部も補強される状態で広く使え、利便性、収納性、運搬性に優れている。
【００１６】
中仕切りの輪の部分に端縫いをしたので、使用後や洗濯後に袋体を畳みやすくし、利便性に優れている。
【００１７】
請求項２に記載の発明に係る買物袋は、前記請求項１記載の発明の効果に加え、
袋体の中に設けた内袋体を本来の使用方法とは異なる、柔軟性の有る棚状中仕切りにすることにより、上側収納部と下側収納部に区分けして収納可能なスペースが確保でき、下側収納部には硬く、重い物、そして、上側収納部には軟らかく、軽い物、又、冷たい物、熱い物と、使用者が適宜区分けして収納が可能となり、購入品も運びやすくなり、利便性、収納性、運搬性に優れている。
【００１８】
柔軟性のある棚状中仕切りは、上に乗せて収納する品物の底面部が球状であれば球状に、平坦であれば平坦に沿う形となり、更に、下側収納部に収納した品物が多少凹凸していても、棚状中仕切りの上に乗せてある品物は下側収納部に落下することはない。その上、第１の発明に記載の中仕切りと併用しても、内袋体が袋体の正面、及び、背面より小さいので、葱、大根のように長い物は、袋体の側面と棚状中仕切りとの間の空間より一部が顔を出すような状況で収まることができ、利便性、収納性、に優れている。
【００１９】
内袋体は、上、下２段に区分けする棚状中仕切りとしてだけでなく、品物を袋体に収納後、内袋体を品物の上に被せて袋の中身を部分的に覆うカバーとして、又、品物の飛び出し防止としても使用可能で、利便性、収納性、運搬性に優れている。
【００２０】
更に、内袋体は上下２段に区別けする棚状中仕切りと、品物に被せて袋の中身を部分的に覆うカバーとして、個々に使用するだけでなく双方を同時に使用することも可能で、利便性、収納性、運搬性に優れている。
【発明を実施するための最良の形態】
【００２１】
本発明に係る買物袋１は、各商店やスーパーマーケット等で買物客の便宜を図って提供される無料のレジ袋に代わって、各自が買物に行く時に持参し、繰り返し使用する物である。以下、買物袋として最良の形態につき、図１ないし図１３を参照にして説明する。
【００２２】
本発明の買物袋は、袋体１０、持ち手２０、中仕切り５０、内袋体６０の構成部品から成っており、袋体１０は、有底の角形筒体状で軽く、一般家庭で簡単に丸洗いが可能な素材を使い、周囲を端縫い１６で押えた大き目の襠付きで、多量の品物が収納できるようにしてある。
【００２３】
持ち手２０は、肩から提げられるように袋体１０の上端に逆Ｕ字形で長めに取り付けてある。
【００２４】
中仕切り５０は、
（１）袋体１０の側面部１３より縦は短く、横幅は側面部１３の２倍の長さより若干長くし、上下左右の端を三つ折りに縫製した素材の長い辺を半分に折った中心線の下部を基点として、袋体１０の底面部１４の短い方の底辺の１/２の長さより若干長い位置に印Ｐを付ける。
（２）下部の両端から袋体１０に縫合する底辺部分５３の縫い終わりに印Ｑを付ける。
（３）中心線上の印Ｐと下部底辺の印Ｑを線で結ぶと、逆Ｙ字形のような線ができる。
（４）素材を半分に折り畳み、更に、下部も逆Ｙ字形に沿って内側に折り畳んで出来る輪５５に端縫い５６をする。
（５）中仕切り５０の側辺５７と底辺部分５３を袋体１０に縫合し、その上で上部開口部５１の側辺５７寄りの上部開口縫合部５２を、袋体１０と縫合された底辺部分５３の長さとほぼ同等の長さで袋体１０と縫合し、縦方向の分離収納スペース５８を設ける。
（６）袋体１０が平らに折り畳まれている時、中仕切り５０は縫合されていない底辺５４が内側に折り畳まれているが、品物を収納する時は折り畳まれている底辺５４を底面部１４方向に押し広げることができる。
以上のように側辺５７だけでなく、上部開口部５１の一部である上部開口縫合部５２と底辺部分５３が袋体１０と縫合固定されていることにより中仕切り５０が安定し、更に、縫合されていない底辺５４があることで、中仕切り５０が収納する物の形状に合わせて変形自在となる。
【００２５】
又、予め折り畳まれている底辺部分５４を、袋体１０の底面部１４方向に伸ばし広げて品物を収納すると、中仕切り５０に収納した小さな物でも縫合されていない底辺部分５４の開口部から飛び出すこともなく収まる。更に、中仕切り５０の横幅に余裕を持たせているので、大きなものを収納したい時、又は、中仕切り５０が不要な時は中仕切り５０を側面部１３に寄せることが可能で仕切りがなくなり袋の中が全面的に広く、又、側面部１３が補強されたような状態で使える。
【００２６】
更に、袋体１０を平らに畳んだ時、中仕切り５０の底辺５４は袋体１０の底面部１４の短い方の底辺の1/2の長さより若干長い位置で予め内側に折り畳まれており底面部１４の障害にならず、その上、輪５５の部分に端縫い５６がしてあることで、使用後や洗濯後に袋体１０を平らに畳む時、簡単に畳んで収納保管が可能である。
【００２７】
内袋体６０は、
（１）縦は袋体１０の正面部１１及び背面部１２より短く、横の最大の長さを、中仕切り５０の上部開口部５１と袋体１０の縫い止りである上部開口縫合部５２迄とし、縦長素材の短い辺の片端を三つ折に縫製後、縫製していない方の端が長くなるように二つ折りして、短い方の前面部６１と長い方の後面部６２の両側辺を縫製し内袋体６０を作る。
（２）開口部６４の内側には係止部材６５（雌雄）を取り付ける。係止部材は面ファスナー、スナップ、ホック、磁石あるいはチャックなどの係合可能な素材を適宜選択して使用が可能である。又、取り付ける方法は任意であって、例えば、接着、溶着、縫着等の手段のうち内袋体６０、及び、係止部材の材料や形態等に適した取り付け方法の選択が可能である。
（３）内袋体６０の下方端辺寄りの係止部材６６（雄又は雌）、後面部６２の上部表面に係止部材６７（雌又は雄）、後面部６２の上部裏面に係止部材６８（雌又は雄）、を取り付け完了後、袋体１０の上部に縫い代部分６３を縫合する。係止部材は面ファスナー、スナップ、ホック、磁石あるいはチャックなどの係合可能な素材を適宜選択して使用が可能である。又、取り付ける方法は任意であって、例えば、接着、溶着、縫着等の手段のうち内袋体６０、及び、係止部材の材料や形態等に適した取り付け方法の選択が可能である。
（４）内袋体６０の下方端辺を上方向に持ち上げ、下方端辺寄りに取り付けてある係止部材６６（雄又は雌）と対向する内袋体６０の上部表面に取り付けてある係止部材６７（雌又は雄）同士を係合し、内袋体６０を柔軟性の有る棚状中仕切りとして使用出来るようにする。
以上のように内袋体６０の本来の使用方法である物の収納とは異なる、柔軟性の有る棚状中仕切りとして使用出来るようにすることにより、袋体１０の中に上側収納部と下側収納部に区分けした、収納可能なスペースが確保でき、例えば、上に乗せて収納する品物の底面部が球状であれば球状に、平坦であれば平坦に沿う形となり、更に、下側収納部に収納した品物が多少凹凸していても、棚状中仕切りの上に乗せてある品物は下側収納部に落下することはない。
【００２８】
又、内袋体６０の両側辺と袋体１０の側面部１３との間には多少の空間があり、左右側面部１３に取り付けて有る中仕切り５０と併用して長い物を収納しても、問題なく収まり、購入品も運びやすくなる。
【００２９】
更に、内袋体６０は、袋体１０の中を２段に区分けしない時は、品物を袋体１０に収納後、内袋体６０を品物の上に被せ、棚状中仕切りの時と同様に対向する係止部材６６と６７、又は、６６と６８同士を係合し、内袋体６０が袋体１０の中身を部分的に覆うカバーとして、又、品物の飛び出し防止としても使用が可能で、更に、内袋体６０は必要に応じて、棚状中仕切りとカバーの両方を同時に使用可能である。
【００３０】
次に、本発明の使い方を以下のように場合分けして説明する。
（１）多量の買物に適し、袋体１０を通常に使用する場合。
（２）買物袋１を使用後に折り畳んで収納保管する場合。
【００３１】
更に、上記の場合分けを、次の部分に分けて説明する。
（イ）中仕切り５０の状態及び使用方法。
（ロ）内袋体６０の状態及び使用方法。
【００３２】
多量の買物に適し、袋体１０を通常に使用する場合。
【００３３】
中仕切り５０の状態及び使用方法。
（１）中仕切り５０を使用する時は、袋体１０を全開にした状態で、内側に畳まれている底辺部分５４を底面部１４方向に押し広げて、品物を収納する。
（２）中仕切り５０が不用の時は、袋体１０を全開にした状態で、中仕切り５０を側面部１３に押し寄せることができる。
以上のように、中仕切り５０を使用すれば、形の違う物、長尺物の葱、大根、瓶物、ミルクパック、又、小さな箱入りの物等も積み重ねて楽に収納でき、折り畳まれている底辺５４部分を底面部１４方向に押し広げることにより小さな物でも縫合されていない底辺部分５４から飛び出すこともなく収まる、更に、中仕切り５０の横幅に余裕を持たせているので、大きなものを収納したい時、又は、中仕切り５０が不要な時は中仕切り５０を側面部１３に寄せると仕切りがなく全面的に広くなり、又、側面部１３が補強されたような状態で使え、例えば、トイレットロール１８個のように包装された物もそのまま収納可能である。
【００３４】
内袋体６０の状態、及び、使用方法。
（１）内袋体６０は本来の使用目的である財布、メモ等を収納して使用する以外に、内袋体６０の下方端辺を上方向に持ち上げ、下方端辺寄りに取り付けた係止部材６６（雄）と対向する内袋体６０の上部表面に取り付けてある係止部材６７（雌）を係合し、柔軟性の有る棚状中仕切りとして使用することで、袋体１０の中に上側収納部と下側収納部に区分けした、収納可能なスペースが確保できる。
（２）この棚状中仕切りとなった内袋体６０の中に保冷を必要とする食品等を保冷材と一緒に収納し、他の物と区分けして運搬することも、また、内袋体６０に保冷材を収納し、下側収納部にアイスクリーム、冷凍食品等を収納後、上部に被せれば簡易の保冷も可能である。更に、保温材を使用すれば保温も可能である。
以上のように、内袋体６０により２段に分けられた収納部の下側収納部には瓶物，箱物、玉葱、キャベツのように硬く、重い物、そして、上側収納部には卵、ケーキ、刺身のように軟らかく、軽い物、又、内袋体６０の中に保冷、保温材等を収納して冷たい物、熱い物と使用者が適宜区分けして収納可能である。
【００３５】
又、棚状の中仕切りは柔軟性のある中仕切りであるため、例えば、上に乗せて収納する品物の底面が球状であれば球状に、平坦であれば平坦に沿う形となり、更に、下側収納部に収納した品物が多少凹凸していても、棚状中仕切りの上に乗せてある品物は下側収納部に落下することはない。
【００３６】
更に、内袋体６０の両端辺と袋体１０の側面部１３との間には多少の空間があり、左右側面部１３に取り付けて有る中仕切り５０を併用して葱、大根のように長いものを収納しても、棚状の中仕切りと袋体１０の側面部１３との間の空間より一部が顔を出すような状況で収まり、購入品も運びやすくなる。
【００３７】
その上、袋体１０の中を２段に区分けしない時は、品物を袋体１０に収納後、内袋体６０が棚状中仕切りとしての使用方法だけでなく、品物の上に被せ、袋体１０の中身を部分的に覆うカバーとして、又、品物の飛び出し防止としても使用が可能で、更に、内袋体６０は必要に応じて係止部材６６と６７、又は、６６と６８同士を係合し、棚状中仕切りとカバーの両方を同時に使用可能である。
【００３８】
買い物袋１を使用後に折り畳んで収納保管する場合。
【００３９】
中仕切り５０の状態。
（１）中仕切り５０の輪５５の部分は端縫い５６がしてあるので、端縫い５６に沿って折り、底辺部分５４も内側に折り畳む。
（２）袋体１０の周囲は端縫い１６がしてあるので、底面部１４を折り畳み線１５に沿って内側に折り畳み、更に、側面部１３を折り畳み線１５に沿って袋体１０の開口部より袋体１０の底辺に向かって内側に畳んでいくと、底面部１４の折山と交わったところから左右に分かれ、側面部１３の底辺の両角に向かい自然に畳み線ができ、袋体１０を平らに畳める。
（３）更に、小さくする場合には適宜折り畳んで収納保管する。
以上のように、袋体１０の周囲に端縫い１６、及び、中仕切り５０の輪５５の部分に端縫い５６がしてあり、更に、中仕切り５０の底辺部分５４が内側に折り畳まれていることで、袋体１０を平らに畳む時に底面部１４の障害にならず簡単に畳んで収納保管が可能である。
【００４０】
内袋体６０の状態。
内袋体６０は中仕切り５０の両側を挟み込むように、袋体１０の正面部１１、及び、背面部１２に沿って垂れ下がった状態となる。
【産業上の利用可能性】
【００４１】
本発明は、手提げ袋を生産する産業で利用される。
【図面の簡単な説明】
【００４２】
【図１】買物袋を一部切欠して内部構造を示した全体斜視図である。
【図２】買物袋を上下逆さまにして底面部構造を示した全体斜視図である。
【図３】図１のＡ−Ａ線切断断面図である。
【図４】袋体と縫合直前の中仕切りの拡大展開図である。
【図５】袋体と縫合直前の内袋体の前面の係止部材を示す部分拡大図である。
【図６】袋体と縫合直前の内袋体の後面の係止部材を示す部分拡大図である。
【図７】袋体の側面部に取り付けられた中仕切りと、正面部及び背面部に取り付けられた内袋体を示す平面図である。
【図８】袋体と内袋体の縫合部及び内袋体の側面を示す、図３のＢ−Ｂ線切断部分拡大断面図である。
【図９】底辺の一部が内側に折り畳まれた状態の中仕切り及び内袋体を示す、図１のＣ−Ｃ線切断断面図である。
【図１０】内側に折り畳まれた底辺部分を底面部方向に押し広げて使用している状態の中仕切り及び内袋体を示す、図１のＣ−Ｃ線切断断面図である。
【図１１】底辺部分を底面部方向に押し広げて使用している状態の中仕切り及び内袋体を棚状中仕切りとして使用している状態を示す、図１のＣ−Ｃ線切断断面図である。
【図１２】底辺部分を底面部方向に押し広げて使用している状態の中仕切り及び内袋体をカバーとして使用している状態を示す、図１のＣ−Ｃ線切断断面図である。
【図１３】底辺部分を底面部方向に押し広げて使用している状態の中仕切り及び内袋体を棚状中仕切り及びカバーとして同時に使用している状態を示す、図１のＣ−Ｃ線切断断面図である。
【符号の説明】
【００４３】
１    買物袋
１０  袋体
１１  正面部
１２  背面部
１３  側面部
１４  底面部
１５  折り畳み線
１６  端縫い
２０  持ち手
５０  中仕切り
５１  上部開口部
５２  上部開口縫合部
５３  袋体と縫合される底辺部分
５４  袋体と縫合されず折り畳まれる底辺部分
５５  輪の部分
５６  端縫い
５７  側辺
５８  分離収納スペース
６０  内袋体
６１  前面部
６２  後面部
６３  縫い代部分
６４  開口部
６５  係止部材
６６  係止部材
６７  係止部材
６８  係止部材
Ｐ    中仕切りの中心線上の印
Ｑ    中仕切りの下部底辺の印
【要約】      （修正有）【課題】買物袋としての、利便性、収納性、運搬性の向上を図り、袋を品物の種類、特性等により縦方向、更に、横方向に区分けして収納が可能で、従来の紙袋やビニール袋に取って代わり、ごみの減少にも寄与することが確実な、地球環境に優しい買物袋を提供する。【解決手段】有底の角形筒体状の上端に持ち手２０が付いている袋体１０を基本構造とする買物袋１において、袋体１０の側面部１３の内側に形状自在になる中仕切り５０を取り付け縦方向の分離スペースを確保し、更に、袋体１０の正面部１１及び背面部１２の内側に、係止部材６７他を備えた内袋体を取り付け、袋体１０の中に上下２段に区分けして横方向に収納可能なスペースが確保できるようにしたことを特徴とする買物袋。【選択図】図１【図１】
0004209929.tif 000002
【図２】
0004209929.tif 000003
【図３】
0004209929.tif 000004
【図４】
0004209929.tif 000005
【図５】
0004209929.tif 000006
【図６】
0004209929.tif 000007
【図７】
0004209929.tif 000008
【図８】
0004209929.tif 000009
【図９】
0004209929.tif 000010
【図１０】
0004209929.tif 000011
【図１１】
0004209929.tif 000012
【図１２】
0004209929.tif 000013
【図１３】
0004209929.tif 000014